Podtech/llm-jp-corpus-v4-ja_patent huggingface dataset:
(57)【要約】      （修正有）【課題】容器から伝わる内容物の熱気等を和らげ、直接容器等を持つことなく、茶卓を持って用に供することのできる茶卓を提供する。【解決手段】２枚の正方形の布等を舟形の形状に縫合する。【選択図】図３
0003162535.tif 000002
【実用新案登録請求の範囲】
【考案の詳細な説明】
【技術分野】
【０００１】  本考案は、サイズの異なる正方形等の布（類似のものを含む、以下「布等」という。）を張り合わせて、舟形の茶卓（コースター等名称のいかんを問わず容器を乗せるもの、以下「茶卓」という。）を創作するものである。
【背景技術】
【０００２】  湯呑茶碗から伝わる湯茶等の熱気等を和らげるために、布等を茶碗に巻きつけていた。【０００３】  不要となった古切れ布等を廃棄していたが、廃棄資源の有効活用を図る。
【先行技術文献】
【特許文献】
【非特許文献】
【考案の概要】
【考案が解決しようとする課題】
【０００４】  湯呑茶碗等の容器（以下「容器等」という。）から伝わる湯茶等の内容物の熱気等を和らげるために、廃棄していた古切れ布等を活用し、茶卓を布等にすることによって、茶卓の上に容器等を乗せたとき、茶卓の両端が自然と持ち上がり、当該容器等を包むような形状とすることで、直接容器等を持つことなく、茶卓で包み持って用に供することのできる茶卓を創作すること。
【課題を解決するための手段】
【０００５】  サイズの異なる正方形等の布等を張り合わせて、［図３］の製作図面の通り、舟形状に創作変形させることによって、自然と容器を包むような機能を有する形状のものとした。
【考案の効果】
【０００６】  湯呑茶碗から伝わる湯茶等の熱気等を和らげるために、布等を茶碗等に巻きつける必要がなくなったこと。【０００７】  廃棄していた古切れ布等の資源の有効活用が図られたこと。
【図面の簡単な説明】
【０００８】
【図１】  本考案の物件の正面斜め上部よりの形状
【図２】  本考案の上部よりの形状
【図３】  本考案の製作図面
【考案を実施するための形態】
【０００９】  正方形等の布等を組み合わせ、［図３］の製作図面に準拠して製作されたものであること。
【００１０】  本考案物件に容器等の物体を乗せたときに、当該物件の両端が持ち上がる形態となること。
【図１】
0003162535.tif 000003
【図２】
0003162535.tif 000004
【図３】
0003162535.tif 000005
【手続補正書】
【提出日】平成22年6月16日(2010.6.16)
【手続補正１】
【補正対象書類名】実用新案登録請求の範囲
【補正対象項目名】全文
【補正方法】変更
【補正の内容】
【実用新案登録請求の範囲】
【請求項１】
▲１▼  一辺１５ｃｍ程度の正方形の布等を２枚用意し、周囲を縫い合わせたのち、返し口から表に返す。
▲２▼  ▲１▼でできた、一辺１３ｃｍ程度の正方形の布等の中央部分を両側からつまんで引っ張ると、一角の周辺部分がくぼみ逆三角錐の形状となる。あたかも火山のカルデラ内の中央火口丘のように、くぼんだ底辺部分の中央に当該一角が火口丘のように残る。
▲３▼  当該火口丘のような一角を底辺の淵（火山でいえば外輪山）の内側にまつる。
▲４▼  三角錐の頂点の一角を、▲３▼でまつった淵の反対側の淵の外側にまつる。
以上▲１▼から▲４▼の行程を経ることによって製作された、縫合された２枚の正方形の布等は舟形の形状となり、当該舟形の形状の茶卓の中央部分（舟の船央部分）に容器等を置くと、両端（舟の船首と船尾部分）が持ちあがるという特徴を持つ茶卓。
【手続補正３】
【補正対象書類名】明細書
【補正対象項目名】０００１
【補正方法】変更
【補正の内容】
【０００１】  本考案は、２枚の正方形の布（類似のものを含む、以下「布等」という。）を縫製加工することにより、舟形の形状を有する茶卓（コースター等名称のいかんを問わず容器を乗せるもの、以下「茶卓」という。）を創作するものである。
【手続補正４】
【補正対象書類名】明細書
【補正対象項目名】０００５
【補正方法】変更
【補正の内容】
【０００５】  ２枚の正方形の布等を縫製加工することにより、図３の製作図面の通り、舟形状に創作変形させることによって、容器等を置くと、両端が持ち上がり、自然と容器等を包むような形状となるものとした。
(57)【要約】      （修正有）【課題】ゴルフスイング時に帽子のつばに手軽に装着し、頭・肩の移動を自覚させ、矯正するために使用するゴルフスイング練習補助具を提供する。【解決手段】輪っか状の板を、帽子のツバ部分に取り付けて、その輪の中からボールの位置を効き目で確認しながら、スイングをし、頭、肩の動きを把握できるようにしてゴルフスイング練習補助具を構成する。【選択図】図１
0003162531.tif 000002
【実用新案登録請求の範囲】
【請求項１】
（１）帽子のつばに取り付けるだけの簡単な補助具
（２）帽子のつばに取り付けるだけで、ボールの位置を確認して頭の移動が自覚できる。
【考案の詳細な説明】
【考案の概要】
【考案が解決しようとする課題】
【０００１】  ゴルフのスイングを練習する時に、頭及び肩の移動を起こさないで練習するのは難しく、あまり把握できないが、これを出来るように解決した。
【課題を解決するための手段】
【０００２】  頭・肩の動きを把握するため、また手軽に装着できるように帽子等のつばの前部分に取り付けて、スイング動作中に補助具の間から効き目でボールを見て頭部の動きを自覚し、矯正できるようにした。
【考案の効果】
【０００３】  動きを自覚し、把握することによりスイングの動作を正確に矯正できる。
【図面の簡単な説明】
【０００４】
【図１】  器具本体の平面図である。
【図２】  考案した器具の使用状況を示す図である。
【符号の説明】
【０００５】  １．器具本体
２．帽子のつばに取り付ける部分
３．ボールの位置確認部分
【図１】
0003162531.tif 000003
【図２】
0003162531.tif 000004
【手続補正書】
【提出日】平成22年6月15日(2010.6.15)
【手続補正１】
【補正対象書類名】実用新案登録請求の範囲
【補正対象項目名】全文
【補正方法】変更
【補正の内容】
【実用新案登録請求の範囲】
【請求項１】
輪っか状の板を、帽子のツバ部分に取り付けて、その輪の中からボールの位置を確認しながら、スイングをし、頭、肩の動きを把握するためのゴルフスイング練習補助具。
(57)【要約】      （修正有）【課題】パチンコやスロットルをプレイ用であって、肘の位置、動作に理想的なほぼ前後方向のみに安定してスライドする動きの椅子を提供する。【解決手段】水平に溶接された前後に長い長方形の金属製平板２の一対の対抗する両側面周りにプラスチックスペーサー４を具備させたスペーサー付金属性平板が、前後にスペーサー付金属性平板より長い金属製チャンネルの凹部溝を有する構造体７の溝に嵌り、肘掛けクッション６を前後にスライド可能とする。【選択図】図１
0003162562.tif 000002
【実用新案登録請求の範囲】
【請求項１】
椅子両側面に配置された構造体に、ほぼ水平に溶接された金属製平板と、肘掛クッション下面に金属製平板の一対の対抗する側面を包むように配置され金属性平板より長いチャンネル状の凹部溝を有す金属製チャンネルの間にプラスチック製スペーサーを具備させ、肘掛けクッションを前後にスライド可能としたパチンコ椅子の肘掛スライド構造。
【考案の詳細な説明】
【技術分野】
【０００１】本考案はパチンコ、スロットをプレイするため着座した人の肘が乗る肘掛部分がスライドする構造に関するものである。
【背景技術】
【０００２】従来から椅子の肘掛装置において、着座した人の肘が載る肘当てを水平方向に動かし得るものは種々提案されている。
一般に椅子の肘掛装置は腕を休息させるためにも受けているものが多いが着席して作業する場合の補助として提案されているのもある。
肘当ての動きとしては、前後スライドと左右スライドと水平旋回等あり、一般には前後スライドを基本動として、前後スライドのみのもの、前後スライドに加えて左右スライドするもの、前後スライドと水平旋回するもの、例として特許文献１，２など多くのものが提案されている。
肘掛の位置、姿勢、又は両方を変更できる肘掛装置は、姿勢又は位置を調整した状態を作るための手段を設けている。この手段は、一般に、多数の凹所を有する雌型部材とこの雌型部材の凹所に選択的に嵌まる雄型部材とを有しており、両部材のうち一方を弾性変形する素材で構成することによって肘当ての動きを許容している。
【特許文献１】特開２０１０−０５１６８８
【特許文献２】特開平１０−７５８５６
【考案の開示】
【考案が解決しようとする課題】
【０００３】椅子も座る人に作業形態によって肘掛装置に要求される動きも異なり、例えば、パソコンやＣＡＤの操作はキーボードの操作とマウス操作とに分けられるが、キーボードの操作にしてもマウスの操作にしても手を水平方向にかなり大きく動かすという特性がある。
しかし、パチンコやスロットをプレイする場合の肘の位置、動作はほぼ前後方向の肘の動きで事足りる。【０００４】むしろ前後方向のみの動きにすることにより肘の方向が安定し、左右にぶれないため、パチンコ、スロットのゲームの成績結果がよくなる事が期待できるが従来市場にはその要求にこたえる前後のみスライドする肘掛装置を具備した椅子が無く、その出現が期待されていた。
本考案はこの現状を改善すべく考案されたものである。
【課題を解決する為の手段】
【０００５】本考案は［請求項１］にあるように椅子両側面に配置された構造体、金属パイプを曲げられた物が多いが、それにほぼ水平に溶接された金属製平板の一対の対抗する両側面にプラスチック製スペーサーを具備させた物と、肘掛クッション下面に金属性平板、及びプラスチックスペーサーを包むように配置され、スペーサー付金属性平板より前後に長いチャンネルの凹部を有す構造で、肘掛けクッションを前後にスライド可能としたパチンコ椅子の肘掛スライド構造にすることにより肘の方向が安定し、左右にぶれないため、パチンコ、スロットのゲームの成績結果が期待できる椅子とすることができる。
【考案の効果】
【０００６】上記の形をした本考案では、作業動作が行いやすい姿勢を基準姿勢としておくことにより、肘当てを基準点が確立でき、左右にぶれない前後のみのスライドさせて軽快で安定的な作業動作を実現し、休息するときは姿勢を変えることでスムーズなスライドで楽な姿勢に戻すことが出来る。
その結果はユーザーが従来より要望していた動作を補助することで、まさにパチンコ、スロット用に特化された理想の椅子といえる。
【考案を実施するための最良の形態】
【実施例】
【０００７】以下、本考案のパチンコ椅子の肘掛スライド構造についての実施形態例として本考案の使用例を説明する。
図１は本考案の実施例の肘掛構造を示す椅子の前方を向いた垂直面での断面図で正面断面図である。
椅子両側面に配置された構造体であるアームパイプ１に、ほぼ水平に溶接部５で溶接された金属製平板２の一対の対抗する両側面３にプラスチック製スペーサー４を具備させている。
プラスチックスペーサー４が付いた金属製平板２と、一方、肘掛クッション６が肘掛芯材８の周りを包む形でステープル９で固定され、肘掛芯材８の下面に金属製チャンネルの凹部溝を有す構造体７があり、皿子ねじ１０で金属製チャネルに凹部溝を有す構造体７を肘掛心材８に固定されている。
プラスチックスペーサー４が付いた金属製平板２を包むようにスペーサー付金属性平板より前後に長いチャンネル状の凹溝を有す構造体７にプラスチック製スペーサー４付きの金属平板２が嵌り前後にスライドできる形態となっている。
プラスチックスペーサー４が付いた金属性平板２より金属製チャンネルの凹部溝を有す構造体７の溝が長くなっている分だけ肘掛クッション６が前後にスライド可能となっている。【０００８】図２は本考案の椅子の肘掛スライド構造部の側面からみた断面図である。
プラスチックスペーサー４が付いた金属性平板２が金属製チャンネルの凹部溝を有す構造体７から外れるとまずいため前後にはそれぞれ前方ストッパー１１と後方ストッパー１２を具備している。
【産業上の利用可能性】
【０００９】自明ゆえ、説明は省略する。
【図面の簡単な説明】
【００１０】
【図１】本考案の実施例のパチンコ椅子の肘掛スライド構造の正面断面図である。
【図２】本考案の実施例のパチンコ椅子の肘掛スライド構造の側面断面図である。
【符号の説明】１．アームパイプ
２．金属製平板
３．金属製平板側面
４．プラスチックスペーサー
５．溶接部
６．肘掛クッション
７．金属製チャンネルの凹部溝を有す構造体
８．肘掛芯材
９．ステープル
１０．皿子ねじ
１１．前方ストッパー
１２．後方ストッパー
【図１】
0003162562.tif 000003
【図２】
0003162562.tif 000004
(57)【要約】      （修正有）【課題】化粧スレート葺き（カラーベスト（登録商標））屋根の軒先小口部分に雨水の浸入やカビが発生することを防止できる軒先専用トタンを提供する。【解決手段】３５ｃｍ×１８０ｃｍの平面トタンの一辺１８０ｃｍの一方のみを、５ｃｍ巾で９０度に折り曲げる。この折り曲げた部分２が化粧スレートの軒先小口部分３をカバーし、雨水の浸入・カビの発生といった状態にならないよう適当な風通しをし、それ以上の腐食の進行を防ぐことができる。もう一方の反対側の一辺が１８０ｃｍ部分４は、スレート屋根に差し込む。この状態で雨水の侵入を防ぐために横へ横へと重ねる部分を作りながら、カラーベストの軒先部分を全部覆うことで屋根を構成する。【選択図】図２
0003162568.tif 000002
【実用新案登録請求の範囲】
【請求項１】
平面トタンの一方の長い辺を５ｃｍ巾で９０度に折り曲げ、反対側の長い一辺を、カラーベスト屋根の軒先に差し込むことにより、軒先小口の腐食を防止することができる、カラーベスト屋根軒先専用トタン。
【考案の詳細な説明】
【背景技術】
【０００１】  カラーベスト屋根の軒先は、スターターとカラーベストが重なり合った二重工法となっており、カラーベスト屋根の軒先小口は常に、雨水の浸入・カビの発生といった慢性の腐食が続いるにもかかわらず、カラーベスト屋根塗り替え時には、軒先小口は屋根先端部分で傾斜面の上、身を乗り出しての作業となり危険を伴うため、手付かずの状態が現状です。そこで、新築時にカラーベスト屋根にこの専用トタンを差し込むことで、雨水の浸入やカビの発生を防ぎ、また、カラーベスト屋根の塗り替え時にもこの専用トタンを差し込むことで、その時点よりの腐食を防ぎます。
【考案を実施するための最良の形態】
【０００２】  ３５ｃｍ×１８０ｃｍの平面トタン１の一辺１８０ｃｍの一方のみを、５ｃｍ巾で９０度に折り曲げる２。この折り曲げた部分がカラーベストの軒先小口部分３をカバーし、雨水の浸入・カビの発生といった状態にならないよう適当な風通しをし、それ以上の腐食の進行を防ぐことができます。もう一方の反対側の一辺が１８０ｃｍ部分４は、カラーベスト屋根に差し込み５ます。この状態で雨水の侵入を防ぐために横へ横へと重ねる部分を作りながら、カラーベストの軒先部分を全部覆っていきます。
【図面の簡単な説明】
【０００３】
【図１】本考案にかかるカラーベスト屋根軒先専用トタン図。
【図２】本考案にかかるカラーベスト屋根軒先専用トタンを、カラーベスト屋根に差し込んだ図。
【符号の説明】
【０００４】カラーベスト屋根軒先専用トタン                    １０
３５ｃｍ×１８０ｃｍ平面トタン                      １
５ｃｍ巾９０度の折り曲げ部分                        ２
カラーベスト屋根軒先小口部分                        ３
反    対    側    部    分                          ４
カラーベスト屋根差し込み部分                        ５
カラーベスト屋根軒先専用トタンの固定釘              ６
軒先専用トタンの重なり部分                          ７
【図１】
0003162568.tif 000003
【図２】
0003162568.tif 000004
(57)【要約】      （修正有）【課題】楽器とそれを保持するための楽器用ストラップを外れ難くする楽器用ストラップ脱落防止具を提供する。【解決手段】楽器本体のストラップピン３に装着したストラップ２の上からストラップピン３の外径より小さな穴の開いた伸縮可能な板状のゴム素材の楽器用ストラップ脱落防止具１の穴を拡げながら装着し、ストラップピン３の窪みの部分でゴム素材を緩めながら、ゴム素材本来の弾性により元に穴の大きさに戻す。【選択図】図１
0003162566.tif 000002
【実用新案登録請求の範囲】
【請求項１】
楽器本体のストラップピンに装着したストラップの上からストラップピンの外径より小さな内径の穴の開いた伸縮可能な板状のゴム素材を穴が拡がるよう伸ばしながら装着し、ストラップピンの窪みの部分でゴム素材の弾性により元に戻す。それによってストラップが外れ難くなることを特徴とする楽器用ストラップ脱落防止具。
【考案の詳細な説明】
【技術分野】
【０００１】
本考案は、楽器用ストラップ脱落防止具に関するものである。
【背景技術】
【０００２】
従来の楽器用ストラップ脱落防止具は金属、プラスチック製で複数の部品で構成されている。
【０００３】
そのためプラスチック製のものは連続動作やストラップに力が加わった際に締め付けている部品が弛む、もしくは破損し、金属製のものは取り付けに工具が必要であり、重量が重く楽器本体に負担をかけるという欠点があった。
【先行技術文献】
【特許文献】
【０００４】
【特許文献１】特開２０００−２５３９１２
【非特許文献】
【０００５】
【非特許文献１】「インストゥルメンツカタログ」株式会社キョーリツコーポレーション,２００９年,２０２ページ
【考案の概要】
【考案が解決しようとする課題】
【０００６】
本考案は、以上のような従来の欠点に鑑み、稼動する複数の部品を用いて装着するのではなくゴム素材の伸縮によってストラップピンに装着することで部品同士による弛みを解消し、取り付ける際に工具が必要ない楽器用ストラップ脱落防止具を提供する事を目的としている。
【課題を解決するための手段】
【０００７】
上記目的を達成するために、本考案は、ストラップピンの外径より小さな穴の開いた伸縮可能な板状のゴム素材で楽器用ストラップ脱落防止具を構成している。
【考案の効果】
【０００８】
以上の説明から明らかなように、本考案にあっては次に列挙する効果が得られる。
（１）ストラップピンの外径より小さな穴の開いた板状のゴム素材で構成されているので、伸縮ができる。
したがって、ストラップピンの外径より小さな穴を伸ばして穴にストラップピンを通すことができる。
【０００９】
（２）前記（１）によってストラップピンから容易に抜けないようにすることができる。
【図面の簡単な説明】
【００１０】
【図１】楽器用ストラップ脱落防止具の実施方法を示した図である。
【図２】楽器用ストラップ脱落防止具の実施方法を示した図である。
【図３】楽器用ストラップ脱落防止具の実施方法を示した図である。
【考案を実施するための形態】
【００１１】
以下、本考案の実施の形態を図に基づいて説明する。
【実施例１】
【００１２】
図１は、本考案装置の実施例１の断面図であって、１〜４までは図２、図３と同様である。また５はストラップスリット、６は楽器用ストラップ脱落防止具の孔である。
【００１３】
ストラップピン３は楽器４にネジで固定されており、一般的にストラップを掛けるものなので楽器４との接続部までの間に窪み、もしくは緩やかに狭まる形状をしている。ストラップ２をストラップピン３に装着、その上から楽器用ストラップ脱落防止具１の孔６の内径をストラップピン３の外径の大きさまで広げ、楽器ストラップ脱落防止具１の孔６にストラップピン３を通す。ゴム素材の弾性により楽器ストラップ脱落防止具１の孔６は内径の大きさに戻る。
【００１４】
工具を使わず装着し、ストラップ２から伝わる力でストラップピン３の外径の大きさに広がってしまうことを防ぐ為にもゴム素材の楽器用ストラップ脱落防止具１の厚みは２．０ｍｍから２．５ｍｍ程度で硬度は６０°から８０°が望ましい。
【産業上の利用可能性】
【００１５】
本考案は、楽器用ストラップ脱落防止具を製造する産業で利用される。
【符号の説明】
【００１６】
１  楽器用ストラップ脱落防止具
２  ストラップ
３  ストラップピン
４  楽器
５  ストラップスリット
６  孔
【図１】
0003162566.tif 000003
【図２】
0003162566.tif 000004
【図３】
0003162566.tif 000005
【手続補正書】
【提出日】平成22年7月7日(2010.7.7)
【手続補正１】
【補正対象書類名】実用新案登録請求の範囲
【補正対象項目名】全文
【補正方法】変更
【補正の内容】
【実用新案登録請求の範囲】
【請求項１】
楽器本体のストラップピンに装着したストラップの上からストラップピンの外径より小さな内径の穴の開いた伸縮可能な板状のゴム素材を穴が拡がるよう伸ばしながら装着し、ストラップピンの窪みの部分でゴム素材の弾性により元に戻すことでストラップが外れ難くなることを特徴とする楽器用ストラップ脱落防止具。
(57)【要約】      （修正有）【課題】着火しても炎がライターの外部に出ないライターを提供する。【解決手段】ライター上部の保護キャップをたて方向に長くし炎の出口をなくし着火石ローラー付近にタバコ着火用の穴を設けたものである。ライターは着火後炎がライター保護キャップ内にとどまり他のものに燃え移る可能性がないので子供によるライター火災が防止できる。【選択図】図２
0003162561.tif 000002
【実用新案登録請求の範囲】
【請求項１】
ライターの保護キャップをたて方向に長くし  たて方向の炎の出口をなくしたことを特徴とするライター。
【請求項２】
ライターの保護キャップの発火石ローラー付近にタバコ着火用の穴を設けたことを特徴とする請求項１に記載のライター。
【考案の詳細な説明】
【技術分野】
【０００１】本考案はタバコ以外の着火ができにくいライターに関するものである。
【背景技術】
【０００２】ライターは便利で安価なものであるが近年子供による火あそびで火災が発生する事件が多発していて何か対策をしなければならない問題である。
【考案の概要】
【考案が解決しようとする課題】
【０００３】上記の様に子供の火あそびによる火災が発生しているわけであるがこれを防止するために着火しても炎がライターの外部に出ないライターを提案するものである。
【課題を解決するための手段】
【０００４】本考案はライター上部の保護キャップをたて方向に長くし炎の出る穴をなくし着火石ローラー付近にタバコ着火用に穴を設けたものである。
【考案の効果】
【０００５】本考案のライターは着火後炎がライター保護キャップ内にとどまり他のものに燃え移る可能性がないので子供によるライター火災が防止できるものである。
【図面の簡単な説明】
【０００６】
【図１】本考案のライターの正面図である。
【図２】本考案のライターの側面図である。
【図３】本考案のライターの上面図である。
【考案を実施するための形態】
【０００７】ライター上部の保護キャップをたて方向に長くし炎の出口をなくしタバコ着火用に着火石ローラー付近に穴を設けたものである。
【実施例】
【０００８】以下添付図面に従って実施例を説明する。
本考案のライターはＢの保護キャップの上部がふさがっているため着火しても炎が外部に出ないものである。タバコに着火する場合は一般的なライターと同じ操作であるが着火口が保護キャップＣにあるためそこにタバコを近ずけ吸いこめば着火できるものである。
上記の様に本考案のライターは炎が外部に出ないため子供のライターへの関心が弱まり子供によるライター火災を防止出来るものである。
【符号の説明】
【０００９】Ａ  ライター本体                Ｄ  発火石ローラー
Ｂ  ライター保護キャップ        Ｅ  ガスレバー
Ｃ  タバコ着火用穴
【図１】
0003162561.tif 000003
【図２】
0003162561.tif 000004
【図３】
0003162561.tif 000005
(57)【要約】      （修正有）【課題】新聞や雑誌などかさのあるものを結束する時、裏側（底面）の紐が中心からずれない為の結束補助具を提供する。【解決手段】固定する中心と紐を通す四ヶ所の穴をあけることで、紐がけの時、裏側（底面）の交差部分が思うところに付けられ、紐が自由に動くことで一本の紐で結束する際は、紐の無駄がない。結束するものによって、素材や大きさが自由に変えられる。【選択図】図１
0003162556.tif 000002
【実用新案登録請求の範囲】
【請求項１】
固定する中心から四方向に紐を通す穴をあけると、裏側を気にすることなく重ねたものを結束しやすい結束補助具。
【請求項２】
素材と形は、結束するものによって自由に変えられる。
【考案の詳細な説明】
【技術分野】
【０００１】  本考案は、新聞や雑誌などかさのあるものを結束する時、裏側（底面）の紐が中心からずれない為の結束補助具
である。
【背景技術】
【０００２】  １ヶ月分の古新聞などを結束する時、裏側（底面）が見えず紐がずれるので、うまく結束できずに困っていた。
【考案の概要】
【考案が解決しようとする課題】
【０００３】  裏側が見えなくてかさのあるものを結束する時、裏側（底面）の中心をずらさないで結束しようとするものである。
【課題を解決するための手段】
【０００４】  固定できることで中心がずれず、紐が通る穴を開けたことで紐の長さを調節しながら結束できる。
【考案の効果】
【０００５】  古新聞を結束する時に使用すると、裏側（底面）の中心で紐が十字になり、結束の仕上がりが、きれいにできる。
【図面の簡単な説明】
【０００６】
【図１】本考案の結束補助具を両面テープを貼った側から見た図である。
【図２】紐を通した本結束補助具を結束するものの裏側（底面）から貼り付けた図である。
【考案を実施するための形態】
【０００７】  結束補助具の両面テープが付いていない側で紐が十字になるように通してから、結束する物の裏側（底面）の中心に、両面テープが付いている側を貼り付け結束すると、裏側（底面）の中心が動かず結束しやすくなる。
【実施例】
【０００８】  以下、添付図面に従って一実施例を説明する。１はプラスチックスなど適宜素材にて一体化形成された結束補助具。２は両面テープが付いたもの。３は紐。４は三回折りたたんだ新聞紙。５は新聞紙を重ねて結束したもので、結束補助具は見えない。
【産業上の利用可能性】
【０００９】  古新聞、雑誌、本、皿、箱物、重ねられる物など
【符号の説明】
【００１０】１  本体
２  粘着部分（両面テープ）
３  紐
４  ３回折りたたんだ新聞紙の裏側（底面）
５  新聞紙を結束した図
【図１】
0003162556.tif 000003
【図２】
0003162556.tif 000004
【手続補正書】
【提出日】平成22年6月16日(2010.6.16)
【手続補正１】
【補正対象書類名】実用新案登録請求の範囲
【補正対象項目名】全文
【補正方法】変更
【補正の内容】
【実用新案登録請求の範囲】
【請求項１】
重ねたものを結束する際に用いる結束補助具であって、重ねたものに固定する中心と、当該中心から四方向に紐を通す穴をあけた結束補助具。
【請求項２】
素材と形は、結束するものによって自由に変えられる事を特徴とする請求項１記載の結束補助具。
(57)【要約】【課題】車椅子の障害となる低階段等の低い段差を、段差の上に着脱自在に覆設した歩み板の扇形作動により、障害を解消する段差のバリアフリー用歩み板を提供する。【解決手段】段差の上に着脱自在に覆設するアルミ縞鋼板からなる歩み板（１）を主体とするもので、長板状の歩み板（１）の基部となる上縁の裏面に軸支した支点軸（２）を、支点台（３）の上端に枢着し、歩み板（１）の裏面略中央には、油圧シリンダー（４）のロッド先端を軸支し、更に歩み板（１）の裏面には、油圧シリンダー（４）のポンプモーター（５）を配備し、これに結線した上昇用スイッチ（７）と下降用スイッチ（８）を配置して別に懸吊保持したバッテリー（６）に結線した構造とし、上昇用スイッチ（７）は、センサー（ａ）により作動するものとし、歩み板（１）に形成した凹み部（９）に露出せしめた構造とした。【選択図】図１
0003162555.tif 000002
【実用新案登録請求の範囲】
【請求項１】
段差の上に着脱自在に覆設するアルミ縞鋼板からなる歩み板（１）を主体とするもので、長板状の歩み板（１）の基部となる上縁の裏面に軸支した支点軸（２）を、支点台（３）の上端に枢着し、歩み板（１）の裏面略中央には、油圧シリンダー（４）のロッド先端を軸支し、更に歩み板（１）の裏面には、油圧シリンダー（４）のポンプモーター（５）を配備し、これに結線した上昇用スイッチ（７）と下降用スイッチ（８）を配置して別に懸吊保持したバッテリー（６）に結線した構造とし、上昇用スイッチ（７）は、歩み板（１）に形成した凹み部（９）に露出せしめ、センサー（ａ）によっても制限作動するものとした構造とした。
【考案の詳細な説明】
【技術分野】
【０００１】  本考案は、車椅子の通行の障害となる低階段等の低い段差を、段差の上に着脱自在に覆設する歩み板の扇形作動により、障害を解消する段差のバリアフリー用歩み板の構造に関する。
【背景技術】
【０００２】  建物等の高い階段は、障害者の車椅子の通行の障害となるが、一般には、エレベーター等で介助されて居る。しかし、２段位の階段や低い段差の場合は、何らのバリアフリーの対策は採られていない現状にある。
【考案の概要】
【考案が解決しようとする課題】
【０００３】  ２段位の階段や低い段差の場合は、何らのバリアフリーの対策は採られていないため、高齢者の歩行や障害者の車椅子の通行にとっては、かなりのバリアになり、車掎子の障害者は勿論、角度によっては力のない子供や女性，老人は登りきれず危険が伴う場合が多い。【０００４】  本考案は、段差の上に着脱自在に覆設する歩み板を、車椅子が乗り上げた時点で扇形作動させて水平にさせる事により、歩行や通行の障害を解消する、段差のバリアフリー用歩み板を提供するものである。
【課題を解決するための手段】
【０００５】  本考案は、段差の上に着脱自在に覆設するアルミ縞鋼板からなる歩み板（１）を主体とするもので、長板状の歩み板（１）の基部となる上縁の裏面に軸支した支点軸（２）を、支点台（３）の上端に枢着し、歩み板（１）の裏面略中央には、油圧シリンダー（４）のロッド先端を軸支し、更に歩み板（１）の裏面には、油圧シリンダー（４）のポンプモーター（５）を配備し、これに結線した上昇用スイッチ（７）と下降用スイッチ（８）を配置して別に懸吊保持したバッテリー（６）に結線した構造とし、上昇用スイッチ（７）は、センサー（ａ）により作動するものとし、歩み板（１）に形成した凹み部（９）に露出せしめた構造とした。
【考案の効果】
【０００６】  本考案は、２段位の階段や低い段差を障害者が車椅子で通行する場合、車による上昇用スイッチ（７）の作用によって、段差の上に傾斜して覆設した歩み板（１）が、基部となる支点軸（２）を支点にして競りあがってセンサー（ａ）が感知して水平となり、降りる時は下降用スイッチ（８）が油圧シリンダー（４）のロッドを縮小させて地面に戻すから、段差のバリアがなくなって車椅子での移動通行がスイッチ作用で容易となる効果があり、更に、歩み板（１）のセットも移動も容易に出来る効果がある。
【図面の簡単な説明】
【０００７】
【図１】本考案の側面図である。
【考案を実施するための最良の形態】
【０００８】  本考案は、段差の上に着脱自在に覆設する長板状の歩み板（１）を、その基部となる上縁の裏面に軸支した支点軸（２）を中心支点にして、ポンプモーター（５）で油圧シリンダー（４）を上下することにより、長板状の歩み板（１）下端を、地面から水平面まで扇形動させ、登る時は水平に、降りる時は傾斜接地させて段差による車椅子の通行の障害を解消したものである。【０００９】即ち、２段位の階段や低い段差を、高齢者や障害者が車椅子で通行する場合、介護者や設置者が段差の上に歩み板（１）を覆設した状態で使用するもので、支点台（３）の高さを調節して上の段差の縁に歩み板（１）の基部縁を一致させて接続させて置き、歩み板（１）の上に、通行する車椅子が乗りあがり、車が凹み部（９）に掛かると、上昇用スイッチ（７）が踏まれて作用し、ポンプモーター（５）が作動して油圧シリンダー（４）が伸張して歩み板（１）の板面を水平に押し上げ、バリアを解消して高齢者や障害者の車椅子の通行を安全容易にする。【００１０】  電源は、懸吊保持したバッテリー（６）によるものとし、ポンプモーター（５）の上昇用スイッチ（７）は、センサー（ａ）の感知で歩み板の水平を保ち、下降用スイッチ（８）は、降りる時に傾斜接地させるが、これらのスイッチ作動は、車輪の踏みつけや手動は勿論、センサーを使用する以外にリモコンやラジコンによる作動でも良い。又油圧シリンダー（４）はエアシリンダーでもよく、ギヤ駆動とするも良い。【００１１】  歩み板（１）は着脱自在で移動容易であり、多様の小さな段差に対応して利用できる。
【符号の説明】
【００１２】１  歩み板２  支点軸３  支点台４  油圧シリンダー５  ポンプモーター６  バッテリー７  上昇用スイッチ８  下降用スイッチ９  凹み部ａ  センサー
【図１】
0003162555.tif 000003
【手続補正書】
【提出日】平成22年6月17日(2010.6.17)
【手続補正１】
【補正対象書類名】実用新案登録請求の範囲
【補正対象項目名】全文
【補正方法】変更
【補正の内容】
【実用新案登録請求の範囲】
【請求項１】
段差の上に着脱自在に覆設するアルミ縞鋼板からなる歩み板（１）を主体とするもので、長板状の歩み板（１）の基部となる上縁の裏面に軸支した支点軸（２）を、支点台（３）の上端に枢着し、歩み板（１）の裏面略中央には、油圧シリンダー（４）のロッド先端を軸支し、更に歩み板（１）の裏面には、油圧シリンダー（４）のポンプモーター（５）を配備し、これに結線した上昇用スイッチ（７）と下降用スイッチ（８）を配置して別に懸吊保持したバッテリー（６）に結線し、センサー（ａ）によって制限作動する上昇用スイッチ（７）は、歩み板（１）に形成した凹み部（９）に露出せしめた段差のバリアフリー用歩み板。
(57)【要約】      （修正有）【課題】体の部分を温めたり、冷やしたり、お手玉遊びが出来るバッグを提供する。【解決手段】バッグ本体１に内袋を設け、開き口２からお手玉の小袋を入れる。【選択図】図１
0003162560.tif 000002
【実用新案登録請求の範囲】
【請求項１】
本体の布のバッグは、横４０センチ奥行き１１センチ、開き口４０センチ、中に五つの内袋を設け、麦を詰めたお手玉１０センチ×７センチの小袋を内袋に入れる、位置ずれしない、中の麦が傾くことがない、小袋をバッグに入れたままで、温める、或は冷やす、温、冷両用、お手玉は自在に取り出せる、お手玉遊びが出来る、三つの特徴を持つバッグ。
【考案の詳細な説明】
【技術分野】
【０００１】  本考案は、夏、冬両用、体の部分を温めたり、或は冷やしたり、お手玉遊びも適用する、健康グッズに関するものである。
【背景技術】
【０００２】  体の部分を温めるもの、体の部分を冷やすもの、お手玉、其々別々のものである。
【先行技術文献】
【特許文献】
【０００３】
【特許文献１】
【特許文献２】
【非特許文献】
【０００４】
【非特許文献１】
【非特許文献２】
【考案の概要】
【考案が解決しようとする課題】
【０００５】  三種類のものを買うのは経済的な負担が大きくなる、使い捨てのものは環境に良くない、本考案は、麦とコットンの布が材料で、繰り返し使用可能、温、冷両用、お手玉遊び出来る、一つに三通りの使え道が出来る、前述の欠点を解決しようとするものである。
【課題を解決するための手段】
【０００６】本考案は、麦を詰めた小袋５個をバッグの内袋５か所に入れ、そのまま、レンジで温める、或は冷蔵庫で冷やす、体の部分に当て、温、或は冷効果が得る、お手玉遊びも適用するにより使い方の範囲が広がる。
【考案の効果】
【０００７】上述の様に、本考案は、温、冷両用、環境に配慮し、繰り返し使用可能、お手玉遊びが出来る、健康に役立つ。
【図面の簡単な説明】
【０００８】
【図１】本考案のスノーピースバッグの実施例を示す正面図である
【図２】本バッグの内袋に入れる、麦を詰めた小袋の実施例を示す正面図である
【考案を実施するための形態】
【０００９】バッグのままで、レンジで温める、或は冷蔵庫で冷やす、体の部分に当て、温、冷両用、バッグの中の小袋自在に取り出せる、体のツボに当てる、お手玉遊びも出来る。
【実施例】
【００１０】以下、添付図面に従って実施例を説明する。１はコットン布バッグ、内側にお手玉の小袋を収納する内袋が５か所ある、２はバッグの開き口、バッグの口を開いて、３の麦を詰めたお手玉の小袋を一つずつ内袋に入れる、そのままレンジで温める、或は冷蔵庫で冷やす、お手玉はバッグの中から自在に取り出せる、お手玉遊びが出来る。
【産業上の利用可能性】
【・・・・】
【符号の説明】
【００１１】１  バッグの本体
２  バッグの開き口
３  麦を詰めたお手玉の小袋
【図１】
0003162560.tif 000003
【図２】
0003162560.tif 000004
(57)【要約】      （修正有）【課題】リュックサックの背負い袋から収容物を取り出しやすくしたリュックサックを提供する。【解決手段】上面を開放自由にした背負い袋１の背面に、背負い袋の上部から下部へ向けて身体の両肩に掛ける２本の背負い紐２を設け、環状をなすベルト状の肩掛け紐３の一部を、背負い袋の背面の上部中央に縫着または接着により固定してリュックサックを構成する。また、背負い袋１から中身を取り出すときは、背負い紐２を両肩から外して背負い袋１を身体の前のほうへ半回動させて、肩掛け紐３で背負い袋１を首で吊るすようにする。すると、背負い袋１を、地面に下ろすことなく中身をとりだすことができる。【選択図】図１
0003162559.tif 000002
【実用新案登録請求の範囲】
【請求項１】
上面を開放自由にした背負い袋の背面に、背負い袋の上部から下部へ向けて身体の両肩に掛ける２本の背負い紐を設け、環状をなすベルト状の肩掛け紐の一部を、背負い袋の背面の上部中央に縫着または接着により固定したことを特徴とするリュックサック。
【考案の詳細な説明】
【技術分野】
【０００１】  本考案は、リュックサックの背負い袋から収容物を取り出しやすくしたリュックサックの改良に関するものである。
【背景技術】
【０００２】  従来リュックサックは、荷物を収容しておく背負い袋の背面に、身体の両肩に掛けるための２本の背負い紐で構成されている。荷物を取り出すときは、両肩から背負い紐を外して背負い袋をいったん地面や床などに降ろして、背負い袋の口を開けて、中身を取り出す。
背負い袋をその都度地面に下ろす煩雑さを解消するために、背負い袋の上端にフックを取り付けたリュックサックが知られている（特許文献１）。また、一方の背負い紐が自由に伸縮できるようにした取り扱いが自由なリュックサックが知られている（特許文献２）。
【先行技術文献】
【０００３】
【特許文献１】特許公開２００７−２２９２２３号公報
【特許文献２】特許公開２００１−１３７０４３号公報
【考案の概要】
【考案が解決しようとする課題】
【０００４】  リュックサックの背負い袋から収容物を取り出すときに、２本の背負い紐を両肩から外して背負い袋を地面や床に下ろすと面倒だった。また、背負い袋の底が泥などで汚れていた。
本考案は以上の問題点を解決するためになされたものである。
【課題を解決するための手段】
【０００５】  上面を開放自由にした背負い袋の背面に、背負い袋の上部から下部へ向けて身体の両肩に掛ける２本の背負い紐を設ける。環状をなす帯状の肩掛け紐の一部を、背負い袋の背面の上部中央に縫着または接着により固定する。
【考案の効果】
【０００６】    肩掛け紐でリュックサックを常に身体に吊り下げた状態であるので、背負い紐を肩から外したときもリュックサックを地面や床に下ろすことなく、身体につけたままで背負い袋の中身を取り出すことができる。背負い袋が、地面の泥や埃で汚れない。リュックサックを身体から外す必要がないために、盗難にあう心配がない。
【図面の簡単な説明】
【０００７】
【図１】本考案の斜視図
【図２】本考案の使用状態を示す斜視図
【図３】本考案の使用状態を示す斜視図
【考案を実施するための形態】
【０００８】  イ、    上面を開放自由にした背負い袋（１）の背面に、背負い袋（１）の上部から下          部へ向けて身体の両肩に掛ける２本の背負い紐（２）を設ける。
ロ、    肩掛け紐（３）は２本の帯状のベルトからなり、ベルト（３ａ）及びベルト（          ３ｂ）の一端を背負い袋の背面の上部中央に固定し、固定部（５）とする。固          定する方法は、縫着または接着いずれでもよい。ベルト（３ａ）の他端に差し          込みバックル（４）の雄片を設け、ベルト（３ｂ）の他端に差し込みバックル          （４）の雌片を設けて、バックルの雄片と雌片を差し込み自在とし、バックル          （４）の雄片と雌片を接続したとき環状を形成する。
本考案は以上の構成よりなるので本考案を使用するときは、図２に示すように、背負い紐（２）を両肩に掛けてリュックサックを背負い、肩掛け紐（３）を肩の片方から脇下へ斜めに掛ける。このとき、ベルト（３ａ）とベルト（３ｂ）をバックルで接続して肩掛け紐（３）は環状に形成している。背負い袋（１）から中身を取り出すときは、図３のように背負い紐（２）を両肩から外して背負い袋（１）を身体の前のほうへ半回動させて、肩掛け紐（３）で背負い袋（１）を首で吊るすようにする。すると、背負い袋（１）を、地面に下ろすことなく中身をとりだすことができる。
【符号の説明】
【０００９】１、    背負い袋
２、    背負い紐
３、    肩掛け紐
４、    差し込みバックル
５、    固定部
【図１】
0003162559.tif 000003
【図２】
0003162559.tif 000004
【図３】
0003162559.tif 000005
(57)【要約】      （修正有）【課題】自然の花や木の葉を身近において、楽しめるようにした装飾品を提供する。【解決手段】装飾品は、押し花１、透明フィルム２、メッセイジ用紙３およびラミネートフィルム４で構成する。透明フィルム２を台紙として、落ち葉や押し花１などを該透明フィルム上に置き、ラミネートフィルム４で全体をラッピングして、落ち葉や押し花１の形状や美しさを損なうことなく、装飾品としての強度不足を補う。以上の構造を採ることで自然の良さをそのままに、破損を気にせず自由に取り扱えるようになる。また変質や変色も防ぎ、思い出の品など長く保存することが可能になったので、台紙の裏面にはメッセイジ用紙を入れて、思い出の場所や日時、好きな言葉などを記入して楽しめるようにすることができる。【選択図】図１
0003162520.tif 000002
【実用新案登録請求の範囲】
【請求項１】
自然の花や木の葉をラッピングして、装飾品として気軽に取り扱えるようにしたもの。
【考案の詳細な説明】
【技術分野】
【０００１】本考案は自然の花や木の葉を身近において楽しめるようにしたものである。
【背景技術】
【０００２】従来は本考案のような、自然を身近において楽しむ装飾品がなかった。
【考案の概要】
【考案が解決しようとした課題】
【０００３】従来は押し花や落ち葉を、そのままノートに挟んで楽しんでいたが、破損したり汚れたりして、長く使用できなかった。
【問題を解決するための手段】
【０００４】本考案は上記の課題を解決するため、全体をラミネートフィルムで保護した。
しかし形状が複雑であったり、強度不足などのため、そのままラミネートすることは困難であった、そこで台紙の上に押し花や落ち葉を置いていっしょに、ラミネートした結果、形状や美しさを損なうことなく、ラミネートすることが出来た。また台紙の材料を透明フィルムにしてみた、結果全体が透明で美しくなり、より商品価値を上げることが出来た。
【考案の結果】
【０００５】ラミネートすることにより自然の良さをそのままに、破損を気にせず自由に取り扱えるようになった、また変質や変色も防ぎ、思い出の品など長く保存することが可能になったので、台紙の裏面や、フィルムの場合にはメッセイジ用紙を入れて、思い出の場所や日時、好きな言葉などを記入して楽しめるようになった。
【考案を実施するための形態】
【０００６】以下、本考案の実施形態について、図面を参照しつつ説明する。図１は台紙の材質を透明フィルムにした場合である。
１は葉や押し花など、２は透明フィルム、３はメッセイジ用紙、４ラミネートフィルム。
【図面の簡単な説明】
【０００７】
【図１】台紙の材質を透明フィルムにした場合の正面図
【図２】台紙の材質を透明フィルムにした場合の断面図
【符号の説明】
【０００８】１  葉や押し花など
２  透明フィルム
３  メッセイジ用紙
４  ラミネートフィルム
【図１】
0003162520.tif 000003
【図２】
0003162520.tif 000004
【手続補正書】
【提出日】平成22年3月5日(2010.3.5)
【手続補正１】
【補正対象書類名】実用新案登録請求の範囲
【補正対象項目名】全文
【補正方法】変更
【補正の内容】
【実用新案登録請求の範囲】
【請求項１】
自然の花や木の葉をラッピングした装飾品。
内部に紙や、透明フィルムを入れ共にラッピングすることにより、変形や破損を防ぎ、内容物を保護した構造。
【手続補正書】
【提出日】平成22年6月21日(2010.6.21)
【手続補正１】
【補正対象書類名】実用新案登録請求の範囲
【補正対象項目名】全文
【補正方法】変更
【補正の内容】
【実用新案登録請求の範囲】
【請求項１】
紙または透明フィルムの上に自然の花や木の葉を載せたものがラッピングされてなる装飾品。
(57)【要約】      （修正有）【課題】手術中術者が無菌的に医療用画像ビューアのリモートコントロール操作を可能にするテンキーボードを提供する。【解決手段】手術中、術者が医療用画像ビューアを操作する為には、無菌操作でなければならない。無菌操作を可能にする為無菌的な透明袋を可能にする為、無菌的な透明袋に納入可能な小型のＢｌｕｅｔｏｏｔｈ（登録商標）仕様で無線通信機能を持たせた改良型テンキーボードを製作する。さらに、一般的なテンキーボードに医療用画像ビューアの操作機能をボタンに割り当てると共に不要なボタンを外し、ボタンがどのような操作機能かを一目にわかるようにラベル等を貼り付けることで、簡単に操作できる様にして該テンキーボードを構成する。【選択図】図１
0003162519.tif 000002
【実用新案登録請求の範囲】
【請求項１】
手術中術者が無菌的な操作を可能にするため、全体を無菌的な透明袋に挿入可能な小型のＢｌｕｅｔｏｏｔｈ仕様の改良型テンキーボードを考案した。
【請求項２】
テンキーボードに手術中に必要な医療用画像ビューアの操作機能をボタンに割り当てるとともに、不要なボタンを撤去した。
【考案の詳細な説明】
【技術分野】
【０００１】  本考案は、医療用画像ビューアを手術中に無菌的に操作するリモートコントローラに関するものである。
【背景技術】
【０００２】  既存のものは、手術中に画像ビューアを無菌的に操作することが出来ないため、ナースまたは手術に参加しない医師に操作を委ねることが必要であり、不便であった。
【先行技術文献】
【特許文献】
【０００３】
【特許文献１】  特開２００１−２９３６０
【非特許文献】
【０００４】
【非特許文献１】  「日本販売株式会社  汚染制御機能付キーボード製品カタログ」
【考案の概要】
【考案が解決しようとする課題】
【０００５】  手術中に術者または助手が無菌的に操作を可能にする。
【課題を解決するための手段】
【０００６】  Ｂｌｕｅｔｏｏｔｈ仕様のテンキーをベースに使用し、その中で操作に必要なキーだけを動作登録し、他のキーは撤去した。
【考案の効果】
【０００７】  上述の様に本考案は、小型のテンキーをベースに改良したため、全体を無菌的な透明パックに挿入することができ、手術中に術者又は助手の使用を可能にした。
【図面の簡単な説明】
【０００８】
【図１】本考案の手術中術者が無菌的に操作するフィルムレス用の専用リモコン装置の一実施例を示す正面図である。
【図２】本装置の横から見た図である。
【考案を実施するための形態】
【０００９】  医療用画像を閲覧するパーソナルコンピューターに使用するワイヤレステンキーを認識させる。認識させた後、操作したい動作機能を配置したボタンに記憶させ、不要なボタンを取り除いた。
【符号の説明】
【００１０】  １〜８  工夫したキー
【図１】
0003162519.tif 000003
【図２】
0003162519.tif 000004
【手続補正書】
【提出日】平成22年3月12日(2010.3.12)
【手続補正１】
【補正対象書類名】実用新案登録請求の範囲
【補正対象項目名】全文
【補正方法】変更
【補正の内容】
【実用新案登録請求の範囲】
【請求項１】
手術中、術者が医療用画像ビューアを操作する為には、無菌操作でなければならない。その解決策として、無菌操作を可能にする為無菌的な透明袋を可能にする為、無菌的な透明袋に納入可能な小型のＢｌｕｅｔｏｏｔｈ（登録商標）仕様の改良型テンキーボード。
【請求項２】
一般的なテンキーボードに医療用画像ビューアの操作機能をボタンに割り当てることと共に不要なボタンを外し、ボタンがどのような操作機能かを一目にわかるように貼り付けることで、簡単に操作を可能にすることを特徴をする請求項１記載のテンキーボード。
【手続補正２】
【補正対象書類名】明細書
【補正対象項目名】０００６
【補正方法】変更
【補正の内容】
【０００６】  Ｂｌｕｅｔｏｏｔｈ（登録商標）仕様のテンキーをベースに使用し、その中で操作に必要なキーだけを動作登録し、他のキーは撤去した。
【手続補正書】
【提出日】平成22年6月21日(2010.6.21)
【手続補正１】
【補正対象書類名】実用新案登録請求の範囲
【補正対象項目名】全文
【補正方法】変更
【補正の内容】
【実用新案登録請求の範囲】
【請求項１】
手術中、術者が医療用画像ビューアを操作する為には、無菌操作でなければならない為、無菌的な透明袋に納入可能な１３４×１０２×１３ｍｍの大きさのＢｌｕｅｔｏｏｔｈ（登録商標）仕様の改良型テンキーボード。
【請求項２】
上記テンキーボードに医療用画像ビューアの操作機能をボタンに割り当てることと共に不要なボタンを外し、ボタンがどのような操作機能かを一目にわかるように表示されていることを特徴をする請求項１記載のテンキーボード。
(57)【要約】      （修正有）【課題】廃棄の際、コンパクトに折畳むことができるティッシュボックスを提供する。【解決手段】長手方向の端面に曲線状切込みを入れる。【選択図】図１
0003162543.tif 000002
【実用新案登録請求の範囲】
【請求項１】
使い終わったティッシュボックスを廃棄する時に少しでもコンパクトにする為、長手方向の端面に切り込みを入れたティッシュボックス。
【請求項２】
設けた曲線状切り込みに他端の畳んだ端を挟み込むことを特徴とする［請求項１］のティッシュボックス。
【請求項３】
切込みのカーブの向きは図１に示す破線で示した反対勝手でも良いことを特徴とした［請求項１］のティッシュボックス。
【考案の詳細な説明】
【技術分野】
【０００１】  従来は山折り線に従って折り畳むだけで意外と嵩張っていた。
【考案の概要】
【考案が解決しようとする課題】
【０００２】  従来方式の折り畳み方だと意外と嵩張っていたのでその嵩張りを減らしたい。
【課題を解決するための手段】
【０００３】  廃棄の際の嵩張りを低減させるには、よりコンパクトに折り畳むことを実現させる。【０００４】  長手方向を２ツ折りにして一方の端面に設けた切込みに他端の折り畳んだ部分を差し込むことによってコンパクト化を図った。
【図面の簡単な説明】
【０００５】
【図１】  端面の切り込み線と小丸穴１。  反対勝手になる架空線３と小丸穴。
【図２】  折り畳み途中の図。
【図３】  差込み完了の図。
【考案を実施するための形態】
【０００６】  当該切り込みは直線ではなく図示のようにアールを描く。アール状の切り込みにすることによって２の開口部を簡単に開口させることが可能になる。
【実施例】
【０００７】  アール状の切り込みは始点、終点に小丸穴（３φ位）を設けて切り口の裂けるのを防ぐ。【０００８】  直線状の切込みでは容易に開口しないがアール状にする事によって当該部分をしごくことで簡単に開口させることが可能になる。
【産業上の利用可能性】
【０００９】  廃棄の手間が簡潔になれば消費者に多いに喜ばれ売り上げ増につながる。
【符号の説明】
【００１０】  １  小丸穴（３φ前後）
２  曲線状切り込み
３  反対勝手の架空線
４  ボックス本体
５  差し込まれた他端
６  取り出し口
７  山折線
【図１】
0003162543.tif 000003
【図２】
0003162543.tif 000004
【図３】
0003162543.tif 000005
【手続補正書】
【提出日】平成22年6月18日(2010.6.18)
【手続補正１】
【補正対象書類名】実用新案登録請求の範囲
【補正対象項目名】全文
【補正方法】変更
【補正の内容】
【実用新案登録請求の範囲】
【請求項１】
使い終わったティッシュボックスを廃棄する時に少しでもコンパクトにする為，長手方向の端面に曲線状切り込みを入れたティッシュボックス。
【請求項２】
設けた曲線状切り込みに他端の畳んだ端を挟み込むことを特徴とする請求項１のティッシュボックス。